(57)【要約】【課題】シャッタ部材の外れおよび回動不良の発生を回避する。【解決手段】シャッタ部材６に軸受孔５１を形成すると共にディスクトレイ５に支持軸３３を突設して構成した第１軸支機構によってディスクトレイ５にシャッタ部材６を軸支させ、一方の幅が一方の幅に対して直交する他方の幅よりも広い長板状に形成された離脱規制用頭部４２を先端部に形成して支持軸３３を構成し、離脱規制用頭部４２の挿通を可能とする長孔状に形成すると共に、少なくともシャッタ部材６が、第１開口部の他の一部を閉塞している状態と開口している状態との間でディスクトレイ５に対して回動させられているときにディスクトレイ５からのシャッタ部材６の離脱を規制するように軸受孔５１を形成する。【選択図】図１９
2005322292.tif 000002
【特許請求の範囲】
【請求項１】
ディスクアクセス用の第１開口部が形成された下シェル、および上シェルを有してディスク状記録媒体を収容するカートリッジ本体と、
ディスクアクセス用の第２開口部が形成されて前記カートリッジ本体内に回動可能に配設され、ディスクアクセスを規制する規制状態において前記第１開口部の一部を閉塞すると共に当該ディスクアクセスを許容する許容状態において当該第１開口部に対して前記第２開口部が連通させられて当該一部を開口するディスクトレイと、
前記下シェルおよび前記ディスクトレイの間に配設されて第１軸支機構によって当該ディスクトレイに軸支され、前記規制状態において前記第１開口部における他の一部を閉塞して前記ディスクトレイと相俟って当該第１開口部を閉塞すると共に前記許容状態において前記他の一部を開口するシャッタ部材とを備え、
前記下シェルは、前記ディスクトレイの回動に伴って前記シャッタ部材を当該ディスクトレイに対して回動させる回動用凸部および回動用案内溝のいずれか一方が形成されて構成され、
前記シャッタ部材は、前記回動用凸部および前記回動用案内溝のいずれか他方が形成されて構成され、
前記第１軸支機構は、前記ディスクトレイおよび前記シャッタ部材のいずれか一方に形成された軸受孔に挿通させられる支持軸が当該ディスクトレイおよび当該シャッタ部材のいずれか他方に突設されて構成され、
前記支持軸は、一方の幅が当該一方の幅に対して直交する他方の幅よりも広い長板状に形成された離脱規制用頭部が先端部に形成されて構成され、
前記軸受孔は、前記離脱規制用頭部の挿通を可能とする長孔状に形成されると共に、少なくとも前記シャッタ部材が、前記他の一部を閉塞している状態と当該他の一部を開口している状態との間で前記ディスクトレイに対して回動させられているときに当該ディスクトレイからの当該シャッタ部材の離脱を規制するように形成されているディスクカートリッジ。
【請求項２】
ディスクアクセス用の第１開口部が形成された下シェル、および上シェルを有してディスク状記録媒体を収容するカートリッジ本体と、
ディスクアクセス用の第２開口部が形成されて前記カートリッジ本体内に回動可能に配設され、ディスクアクセスを規制する規制状態において前記第１開口部の一部を閉塞すると共に当該ディスクアクセスを許容する許容状態において当該第１開口部に対して前記第２開口部が連通させられて当該一部を開口するディスクトレイと、
前記下シェルおよび前記ディスクトレイの間に配設されて第２軸支機構によって当該下シェルに軸支され、前記規制状態において前記第１開口部における他の一部を閉塞して前記ディスクトレイと相俟って当該第１開口部を閉塞すると共に前記許容状態において前記他の一部を開口するシャッタ部材とを備え、
前記ディスクトレイは、前記カートリッジ本体に対する回動に伴って前記シャッタ部材を前記下シェルに対して回動させる回動用凸部および回動用案内溝のいずれか一方が形成されて構成され、
前記シャッタ部材は、前記回動用凸部および前記回動用案内溝のいずれか他方が形成されて構成され、
前記第２軸支機構は、前記下シェルおよび前記シャッタ部材のいずれか一方に形成された軸受孔に挿通させられる支持軸が当該下シェルおよび当該シャッタ部材のいずれか他方に突設されて構成され、
前記支持軸は、一方の幅が当該一方の幅に対して直交する他方の幅よりも広い長板状に形成された離脱規制用頭部が先端部に形成されて構成され、
前記軸受孔は、前記離脱規制用頭部の挿通を可能とする長孔状に形成されると共に、少なくとも前記シャッタ部材が、前記他の一部を閉塞している状態と当該他の一部を開口している状態との間で前記下シェルに対して回動させられているときに当該下シェルからの当該シャッタ部材の離脱を規制するように形成されているディスクカートリッジ。
【請求項３】
前記離脱規制用頭部の挿通を可能とする挿通用孔を取り囲むようにして当該離脱規制用頭部の厚みよりも深い円形凹部が前記下シェルおよび前記シャッタ部材のいずれか一方に形成されて前記軸受孔が構成されている請求項１または２記載のディスクカートリッジ。
【発明の詳細な説明】
【技術分野】
【０００１】
本発明は、カートリッジ本体内に収容されたディスク状記録媒体に対してディスクアクセス用の開口部を介してのディスクアクセスが可能に構成されたディスクカートリッジに関するものである。
【背景技術】
【０００２】
この種のディスクカートリッジとして、カートリッジ筐体内に情報記録媒体を収容したディスクカートリッジが特開２００３−１２３４２６号公報に開示されている。このディスクカートリッジは、ディスク状の情報記録媒体と、上シェルおよび下シェルを有するカートリッジ筐体と、ディスクトレイとして機能するインナーシェルと、インナーシェルおよび下シェルの間に配設された一対のシャッタ部材（シャッタ）とを備えている。下シェルは、収容状態の情報記録媒体に対するディスクアクセス用の開口部が形成されて上シェルに取り付けられている。インナーシェルは、その開口形状および大きさが下シェルの開口部と同様となるようにディスクアクセス用の開口部が形成されて、上シェルおよび下シェルの間に挟み込まれるようにしてカートリッジ筐体内に回動可能に収容されている。これにより、記録再生装置に対するディスクカートリッジの装填時および排出時において記録再生装置によってインナーシェルがカートリッジ筐体に対して回動させられて、下シェルにおける開口部の一部がインナーシェルによって開閉される。また、インナーシェルには、シャッタ部材を軸支するための一対の支持軸が突設されている。
【０００３】
一方、シャッタ部材は、インナーシェルの支持軸が挿通させられる軸受孔が形成されて、インナーシェルに対して回動可能に取り付けられている。このシャッタ部材は、ディスクカートリッジが記録再生装置に装填された際、または、記録再生装置から排出された際に、下シェルに対してインナーシェルが回動させられることでインナーシェルに対して回動させられて、インナーシェルと相俟って下シェルの開口部を開閉する。この場合、このディスクカートリッジでは、シャッタ部材に形成された軸受孔にインナーシェルの支持軸を挿通させた状態で支持軸の先端部をかしめ処理（かしめ加工）して拡径頭部を形成することによって、インナーシェルに対するシャッタ部材の回動を許容しつつ、インナーシェルからのシャッタ部材の外れを回避する構成が採用されている。
【特許文献１】特開２００３−１２３４２６号公報（第３−１０頁、図１−２８）
【発明の開示】
【発明が解決しようとする課題】
【０００４】
ところが、従来のディスクカートリッジには、以下の問題点がある。すなわち、このディスクカートリッジでは、インナーシェルに対するシャッタ部材の取付時に、シャッタ部材の軸受孔にインナーシェルの支持軸を挿通させた状態で支持軸の先端部を熱かしめ装置または超音波処理装置によって熱変形させることで（かしめ処理することで）軸受孔の口縁部に形成されている凹部内に拡径頭部を形成している。この場合、例えば熱かしめ装置によって支持軸の先端部を熱変形させる際には、頭部成型チップ（かしめ処理時に支持軸の先端部に当接させられる部位）をかしめ処理に適した温度に温度管理する必要がある。しかしながら、ディスクカートリッジを連続して量産するときには、頭部成型チップを常に一定の温度に保つのが困難のため、均一な大きさの拡径頭部を形成するのが困難となっている。
【０００５】
具体的には、頭部成型チップの温度が低過ぎるときには、頭部成型チップを支持軸の先端部に押し付けた際にその先端部を十分に加熱することができないため、先端部が十分に熱変形せずに、凹部内に形成される拡径頭部の径（大きさ）が小さくなる。この状態では、落下による衝撃などによって軸受孔から支持軸が容易に抜けるため、シャッタ部材がインナーシェルから容易に外れてしまうこととなる。一方、頭部成型チップの温度が高過ぎるときには、頭部成型チップを支持軸の先端部に押し付けた際にその先端部が過度に熱せられて必要以上に大きく熱変形して、形成される拡径頭部は大きくなるものの、その厚みが薄くなり過ぎる。この状態では、拡径頭部が容易に破断して、シャッタ部材がインナーシェルから外れてしまうこととなる。また、頭部成型チップの温度がさらに高温のときには、頭部成型チップを支持軸の先端部に押し付けた際に、支持軸のみならず軸受孔の口縁部までもが熱変形して、シャッタ部材がインナーシェルに溶着される。この状態では、インナーシェルに対するシャッタ部材の回動が阻害されることとなる。このように、熱かしめ装置等を用いて熱変形させるというかしめ処理（以下、単に「かしめ処理」ともいう）によってインナーシェルにシャッタ部材を取り付けている従来のディスクカートリッジには、熱変形量を適正でかつ均一に維持するのが困難なことに起因して、インナーシェルからのシャッタ部材の外れや、インナーシェルに対するシャッタ部材の回動不良の発生を回避するのが困難であるという問題点が存在する。
【０００６】
本発明は、かかる問題点に鑑みてなされたものであり、シャッタ部材の外れおよび回動不良の発生を回避し得るディスクカートリッジを提供することを主目的とする。
【課題を解決するための手段】
【０００７】
上記目的を達成すべく本発明に係るディスクカートリッジは、ディスクアクセス用の第１開口部が形成された下シェル、および上シェルを有してディスク状記録媒体を収容するカートリッジ本体と、ディスクアクセス用の第２開口部が形成されて前記カートリッジ本体内に回動可能に配設され、ディスクアクセスを規制する規制状態において前記第１開口部の一部を閉塞すると共に当該ディスクアクセスを許容する許容状態において当該第１開口部に対して前記第２開口部が連通させられて当該一部を開口するディスクトレイと、前記下シェルおよび前記ディスクトレイの間に配設されて第１軸支機構によって当該ディスクトレイに軸支され、前記規制状態において前記第１開口部における他の一部を閉塞して前記ディスクトレイと相俟って当該第１開口部を閉塞すると共に前記許容状態において前記他の一部を開口するシャッタ部材とを備え、前記下シェルは、前記ディスクトレイの回動に伴って前記シャッタ部材を当該ディスクトレイに対して回動させる回動用凸部および回動用案内溝のいずれか一方が形成されて構成され、前記シャッタ部材は、前記回動用凸部および前記回動用案内溝のいずれか他方が形成されて構成され、前記第１軸支機構は、前記ディスクトレイおよび前記シャッタ部材のいずれか一方に形成された軸受孔に挿通させられる支持軸が当該ディスクトレイおよび当該シャッタ部材のいずれか他方に突設されて構成され、前記支持軸は、一方の幅が当該一方の幅に対して直交する他方の幅よりも広い長板状に形成された離脱規制用頭部が先端部に形成されて構成され、前記軸受孔は、前記離脱規制用頭部の挿通を可能とする長孔状に形成されると共に、少なくとも前記シャッタ部材が、前記他の一部を閉塞している状態と当該他の一部を開口している状態との間で前記ディスクトレイに対して回動させられているときに当該ディスクトレイからの当該シャッタ部材の離脱を規制するように形成されている。
【０００８】
また、本発明に係るディスクカートリッジは、ディスクアクセス用の第１開口部が形成された下シェル、および上シェルを有してディスク状記録媒体を収容するカートリッジ本体と、ディスクアクセス用の第２開口部が形成されて前記カートリッジ本体内に回動可能に配設され、ディスクアクセスを規制する規制状態において前記第１開口部の一部を閉塞すると共に当該ディスクアクセスを許容する許容状態において当該第１開口部に対して前記第２開口部が連通させられて当該一部を開口するディスクトレイと、前記下シェルおよび前記ディスクトレイの間に配設されて第２軸支機構によって当該下シェルに軸支され、前記規制状態において前記第１開口部における他の一部を閉塞して前記ディスクトレイと相俟って当該第１開口部を閉塞すると共に前記許容状態において前記他の一部を開口するシャッタ部材とを備え、前記ディスクトレイは、前記カートリッジ本体に対する回動に伴って前記シャッタ部材を前記下シェルに対して回動させる回動用凸部および回動用案内溝のいずれか一方が形成されて構成され、前記シャッタ部材は、前記回動用凸部および前記回動用案内溝のいずれか他方が形成されて構成され、前記第２軸支機構は、前記下シェルおよび前記シャッタ部材のいずれか一方に形成された軸受孔に挿通させられる支持軸が当該下シェルおよび当該シャッタ部材のいずれか他方に突設されて構成され、前記支持軸は、一方の幅が当該一方の幅に対して直交する他方の幅よりも広い長板状に形成された離脱規制用頭部が先端部に形成されて構成され、前記軸受孔は、前記離脱規制用頭部の挿通を可能とする長孔状に形成されると共に、少なくとも前記シャッタ部材が、前記他の一部を閉塞している状態と当該他の一部を開口している状態との間で前記下シェルに対して回動させられているときに当該下シェルからの当該シャッタ部材の離脱を規制するように形成されている。
【０００９】
さらに、本発明に係るディスクカートリッジは、上記のいずれかのディスクカートリッジにおいて、前記離脱規制用頭部の挿通を可能とする挿通用孔を取り囲むようにして当該離脱規制用頭部の厚みよりも深い円形凹部が前記下シェルおよび前記シャッタ部材のいずれか一方に形成されて前記軸受孔が構成されている。
【発明の効果】
【００１０】
本発明に係るディスクカートリッジによれば、一方の幅が他方の幅よりも広い長板状の離脱規制用頭部を先端部に形成した支持軸をディスクトレイおよびシャッタ部材のいずれか一方に突設すると共に、離脱規制用頭部の挿通を可能としつつ、シャッタ部材が第１開口部の他の一部を閉塞している状態と開口している状態との間でディスクトレイに対して回動させられているときにディスクトレイからのシャッタ部材の外れ（離脱）を規制可能に長孔状の軸受孔をディスクトレイおよびシャッタ部材のいずれか他方に形成したことにより、熱かしめ装置等を用いてインナーシェル（ディスクトレイ）にシャッタ部材をかしめ処理して固定している従来のディスクカートリッジとは異なり、ディスクトレイ（または、シャッタ部材）の射出成形時において支持軸をディスクトレイ（または、シャッタ部材）の本体部分と一体的に成形することができる。したがって、ディスクトレイに対するシャッタ部材の取り付け作業時にシャッタ部材とディスクトレイとを溶着することがないため、シャッタ部材の回動不良の発生を確実に回避することができる。また、射出成形時に支持軸を成形することで、離脱規制用頭部の大きさや厚みにばらつきを生じさせることなく支持軸を突設することができる。このため、離脱規制用頭部が小さ過ぎて軸受孔から抜け易くなる事態や、離脱規制用頭部が薄過ぎて破断し易くなる事態を確実に回避することができる。したがって、ディスクトレイからのシャッタ部材の意図しない外れ（離脱）を確実に回避することができる。
【００１１】
また、本発明に係るディスクカートリッジによれば、一方の幅が他方の幅よりも広い長板状の離脱規制用頭部を先端部に形成した支持軸を下シェルおよびシャッタ部材のいずれか一方に突設すると共に、離脱規制用頭部の挿通を可能としつつ、シャッタ部材が第１開口部の他の一部を閉塞している状態と開口している状態との間で下シェルに対して回動させられているときに下シェルからのシャッタ部材の外れ（離脱）を規制するように長孔状の軸受孔を下シェルおよびシャッタ部材のいずれか他方に形成したことにより、熱かしめ装置等を用いてインナーシェル（ディスクトレイ）にシャッタ部材をかしめ処理して固定している従来のディスクカートリッジとは異なり、下シェル（または、シャッタ部材）の射出成形時において支持軸を下シェル（または、シャッタ部材）の本体部分と一体的に成形することができる。したがって、下シェルに対するシャッタ部材の取り付け作業時にシャッタ部材と下シェルとを溶着することがないため、シャッタ部材の回動不良の発生を確実に回避することができる。また、射出成形時に支持軸を成形することで、離脱規制用頭部の大きさや厚みにばらつきを生じさせることなく支持軸を突設することができる。このため、離脱規制用頭部が小さ過ぎて軸受孔から抜け易くなる事態や、離脱規制用頭部が薄過ぎて破断し易くなる事態を確実に回避することができる。したがって、下シェルからのシャッタ部材の意図しない外れ（離脱）を確実に回避することができる。
【００１２】
この場合、本発明に係るディスクカートリッジによれば、離脱規制用頭部の挿通を可能とする挿通用孔を取り囲むようにして離脱規制用頭部の厚みよりも深い深さの円形凹部を形成して軸受孔を構成したことにより、離脱規制用頭部を軸受孔の口縁部から突出させることなくディスクトレイ（または下シェル）に対してシャッタ部材を取り付けることができる。
【発明を実施するための最良の形態】
【００１３】
以下、添付図面を参照して、本発明に係るディスクカートリッジの最良の形態について説明する。
【００１４】
最初に、ディスクカートリッジ１の構成について、図面を参照して説明する。
【００１５】
図１，２に示すディスクカートリッジ１は、各種記録データの記録および再生が可能に構成されたカートリッジ式の情報記録媒体であって、カートリッジ本体２、ディスクトレイ５およびシャッタ部材６などを備えてカートリッジ本体２内に光ディスク１０が収納されて構成されている。なお、図２では、本発明についての理解を容易とするために、その厚み方向のサイズを誇張して厚く図示している。この場合、光ディスク１０は、一例として、片面仕様の書き換え型のディスク状記録媒体であって、同図に示すように、その中心部には、記録再生装置にクランプさせるための直径１５ｍｍ程度の中心孔１０ａが形成されている。この光ディスク１０は、カートリッジ本体２の上シェル４に取り付けられた円板状のクランピングプレート１０ｂが記録再生装置によって下シェル３側に引き寄せられることによって記録再生装置にクランプされる。一方、図１，２に示すように、カートリッジ本体２は、互いに嵌合可能に（重ね合わせが可能に）形成された下シェル３および上シェル４を備えている。
【００１６】
下シェル３は、図３に示すように、一対の下シェル本体１１ａ，１１ｂを備えて、一例として、ポリカーボネート（または、ＡＢＳ樹脂等）を用いて射出成形されている。具体的には、下シェル３（下シェル本体１１ａ，１１ｂ）は、底板１２ａと、底板１２ａの外縁部に立設されてカートリッジ本体２の側面部分を構成する側壁１２ｂと、カートリッジ本体２内にディスク収容部を形成する隔壁１２ｃとを備えている。また、下シェル３は、上シェル４に嵌合させた状態（上シェル４に重ね合わせて一体化させた状態）において、両下シェル本体１１ａ，１１ｂにおける底板１２ａ，１２ａの間にディスクアクセス用の開口部１５が形成されるように構成されている。この場合、開口部１５は、本発明における第１開口部に相当し、記録データの記録再生時において、カートリッジ本体２内の光ディスク１０に対するディスクアクセス（記録再生装置によるクランプや、光学ヘッドを介してのレーザービームの照射等）が可能となるようにその開口幅および開口長等が規定されている。
【００１７】
具体的には、図３に示すように、開口部１５は、下シェル３の一方の外縁部（同図における上側の縁部）から中心部を挟んで対向する他方の外縁部（同図における下側の縁部）に亘る帯状となるように形成されている。これにより、開口部１５は、カートリッジ本体２内に収容された状態の光ディスク１０における中心孔１０ａの周囲を含む中心部領域を挟んで互いに対向する一対の外縁部領域間に亘る帯状の領域を露出可能な形状および大きさとなっている。この構成により、このディスクカートリッジ１では、２つの光学ヘッドを同時に用いて光ディスク１０に対する記録データの記録および再生を行うことが可能となっている。また、両下シェル本体１１ａ，１１ｂの各底板１２ａには、シャッタ部材６のスリット５２（図１０参照）に挿入されて、後述するようにディスクトレイ５の回動に伴ってシャッタ部材６をスライドさせるための回動用凸部（以下、「凸部」ともいう）１３がそれぞれ立設されている。
【００１８】
上シェル４は、図４に示すように、天板２２ａと、天板２２ａの外縁部に立設されて下シェル３の側壁１２ｂと相俟ってカートリッジ本体２の側面部分を構成する側壁２２ｂと、下シェル３の隔壁１２ｃと相俟ってカートリッジ本体２内にディスク収容部を形成する隔壁２２ｃとを備えて、一例として、透過性を有するポリカーボネートを用いて射出成形されている。また、図２に示すように、上シェル４の中央部には、リング状の取付け部材１０ｃによってクランピングプレート１０ｂが取り付けられている。この場合、クランピングプレート１０ｂは、上シェル４に対して回転可能で、天板２２ａに対する接離方向で僅かに移動可能に取り付けられている。
【００１９】
ディスクトレイ５は、図５に示すように、開口部３５が形成された円板状の底板３１と、底板３１の外縁部に立設された側壁３２とで光ディスク１０を載置可能な浅皿状に形成されて、図２に示すように、光ディスク１０と共にカートリッジ本体２内に回動可能に収容されている。この場合、開口部３５は、本発明における第２開口部に相当し、図５に示すように、下シェル３における開口部１５の幅とほぼ同じ幅となるように形成されている。なお、同図では、開口部１５の口縁部を一点鎖線で図示している。また、側壁３２には、記録再生装置のシャッタ開閉手段（図示せず）が噛合可能な噛合用歯部３４（同図では、噛合用歯部３４における各歯の図示を省略している）が形成されている。さらに、側壁３２には、光ディスク１０に対するディスクアクセスを規制している常態においてロック部材７（図１参照）が係合してカートリッジ本体２に対する回動を規制するための切り欠きや、記録再生装置のシャッタ開閉手段が係合してディスクトレイ５を回動させるための切り欠きなど（図示せず）が形成されている。
【００２０】
また、底板３１の下面（図５において手前側の面）には、シャッタ部材６を軸支するための支持軸３３，３３が立設されている。この場合、支持軸３３は、後述するシャッタ部材６の軸受孔５１と相俟って本発明における第１軸支機構を構成し、ディスクトレイ５の射出成形時に底板３１と一体的に成形されている。この場合、支持軸３３は、図６に示すように、底板３１に立設された軸本体４１と、軸本体４１の先端部（同図における上端部）に形成された離脱規制用頭部（以下、「頭部」ともいう）４２とを備えて形成されている。また、図７に示すように、頭部４２は、平面視が長板状となるように軸本体４１と一体成形されて、図７〜９に示すように、短尺側の幅Ｗ１（本発明における他方の幅）が３ｍｍ程度で、長尺側の幅Ｗ２（本発明における一方の幅：幅Ｗ１に対して直交する向きの幅）が３．９ｍｍ程度となるように形成されている。また、図８に示すように、頭部４２は、その厚みＴが底板３１の表面から突出する軸本体４１の突出高Ｈと同程度の０．５ｍｍ程度となるように成形されている。一方、図８，９に示すように、軸本体４１は、その直径Ｌ１が頭部４２における短尺側の幅Ｗ１と同程度の３ｍｍ程度となるように成形されている。この場合、図６，８に示すように、このディスクトレイ５には、頭部４２を成形するための型抜き用孔４３，４３が底板３１に形成されている。
【００２１】
シャッタ部材６は、図１０に示すように、一端部にディスクトレイ５の支持軸３３を挿通可能な軸受孔５１が形成されると共に、他端部側に下シェル３の凸部１３を挿通可能なスリット５２（本発明における回動用案内溝）が形成されている。軸受孔５１は、図１１に示すように、支持軸３３における頭部４２と相補的形状の長孔状の挿通用孔６１と、挿通用孔６１を取り囲むようにして形成された円形凹部６２とがシャッタ部材６の厚み方向で連通するように形成されて構成されている。この場合、図１２〜１４に示すように、挿通用孔６１は、短尺側の幅（開口幅）Ｗ３が３．２ｍｍ程度で、長尺側の幅（開口幅）Ｗ４（幅Ｗ３に対して直交する向きの幅）が４．１ｍｍ程度となるように形成されて、頭部４２の幅Ｗ１，Ｗ２よりも対応する部位の開口幅が僅かに大きくなっている。これにより、ディスクトレイ５に対するシャッタ部材６の取付け時において、挿通用孔６１に対する支持軸３３の頭部４２の挿通が可能となっている。
【００２２】
一方、円形凹部６２は、図１３，１４に示すように、その深さＤが頭部４２の厚みＴと同程度の０．５ｍｍ程度で、その直径Ｌ２が４．５ｍｍ程度となるように形成されている。これにより、図１９に示すように、挿通用孔６１を挿通させた状態における頭部４２のシャッタ部材６の表面からの突出が回避されると共に、円形凹部６２内での頭部４２の相対的回動（ディスクトレイ５に対するシャッタ部材６の回動に伴う支持軸３３の回動）が許容される。このシャッタ部材６は、後述するように、軸受孔５１に支持軸３３を挿通させることによってディスクトレイ５に対して回動可能に軸支された状態で、図２に示すように、下シェル３とディスクトレイ５との間に挟み込まれるようにしてカートリッジ本体２内に収容されている。
【００２３】
次に、ディスクカートリッジ１の組立て方法および使用方法について、図面を参照して説明する。
【００２４】
このディスクカートリッジ１の組立てに際しては、図１５に示すように、まず、ディスクトレイ５にシャッタ部材６，６を取り付ける。この際には、図１６に示すように、シャッタ部材６における軸受孔５１の挿通用孔６１にディスクトレイ５における支持軸３３の頭部４２を挿通させた後に、図１５に示す矢印Ｃ１の向きでディスクトレイ５に対してシャッタ部材６，６を回動させる。これにより、図１７に示すように、ディスクトレイ５に対するシャッタ部材６，６の取り付けが完了する。この場合、このディスクカートリッジ１では、挿通用孔６１に頭部４２を挿通させた後にディスクトレイ５に対してシャッタ部材６を回動させることにより、図１８，１９に示すように、頭部４２が挿通用孔６１の口縁部（円形凹部６２の底部）に係合してディスクトレイ５からのシャッタ部材６の外れ（離脱）が規制される。したがって、シャッタ部材６は、熱かしめ装置等によるかしめ処理を不要としつつ、ディスクトレイ５に取り付けられる。この後、シャッタ部材６の取り付けが完了したディスクトレイ５上に光ディスク１０を載置した状態で下シェル３および上シェル４の間に挟み込むようにしてカートリッジ本体２内に収容する。この際には、シャッタ部材６のスリット５２に下シェル３（下シェル本体１１ａ，１１ｂ）の凸部１３が挿入されるようにして上シェル４に下シェル３を重ね合わせて固定する。これにより、図１，２に示すように、ディスクカートリッジ１が完成する。
【００２５】
このディスクカートリッジ１では、図１に示すように、記録再生装置から取り外されている状態のときには、下シェル３の開口部１５が、ディスクトレイ５とシャッタ部材６，６とによって閉塞されて、カートリッジ本体２内の光ディスク１０に対するディスクアクセスが規制されている（本発明における規制状態）。具体的には、図１７に示すように、開口部１５における長手方向両端部側の端部領域Ａ１，Ａ１（光ディスク１０の外縁部側を露出させるための開口部位：本発明における一部）がディスクトレイ５の底板３１，３１によって閉塞されると共に、開口部１５における長手方向中央部の中央部領域Ａ２（光ディスク１０における中心孔１０ａの近傍を露出させるための開口部位：本発明における他の一部）がシャッタ部材６，６によって閉塞される。この結果、ディスクトレイ５およびシャッタ部材６，６によって開口部１５の全域が閉塞される。なお、同図および後に参照する図２０では、開口部１５の閉塞状態（開口状態）についての理解を容易とするために、下シェル３および上シェル４等の図示を省略してディスクトレイ５およびシャッタ部材６，６のみを図示すると共に、開口部１５の口縁部を一点鎖線で図示している。この際に、このディスクカートリッジ１では、ディスクトレイ５およびシャッタ部材６，６によって開口部１５の全域が閉塞されている状態において、図１８，１９に示すように、ディスクトレイ５における支持軸３３の頭部４２がシャッタ部材６における軸受孔５１の挿通用孔６１の口縁部（円形凹部６２の底部）に係合してディスクトレイ５からのシャッタ部材６の外れ（離脱）が規制された状態が維持される。
【００２６】
一方、ディスクカートリッジ１を記録再生装置に装填した際には、ディスクカートリッジ１が記録再生装置によって図１に示す矢印Ｉの向きで装置内部に引き込まれる。なお、同図では下シェル３を上向きした状態を図示しているが、実際の使用に際しては、上シェル４を上向きにした状態で記録再生装置に装填する。この際には、記録再生装置のシャッタ開閉手段によってディスクトレイ５が回動させられるのに伴い、シャッタ部材６がディスクトレイ５に対して回動させられる。これにより、開口部１５が開口されてカートリッジ本体２内の光ディスク１０に対するディスクアクセスが許容される（本発明における許容状態）。具体的には、まず、記録再生装置のシャッタ開閉手段がロック部材７に当接することによって、ロック部材７がカートリッジ本体２に対して回動させられてディスクトレイ５の回動規制を解除する。次に、ディスクカートリッジ１が記録再生装置内にさらに引き込まれた際には、シャッタ開閉手段がディスクトレイ５の噛合用歯部３４に噛合して、この状態でディスクカートリッジ１がさらに引き込まれることによってディスクトレイ５が図１７に示す矢印Ｂ１の向きでカートリッジ本体２に対して回動させられる。この際には、ディスクトレイ５の回動に伴い、下シェル３の凸部１３がシャッタ部材６のスリット５２内を相対的にスライドすることによって、シャッタ部材６が軸受孔５１（ディスクトレイ５の支持軸３３）を中心としてディスクトレイ５に対して矢印Ｃ２の向きに回動（スライド）させられる。
【００２７】
次いで、ディスクカートリッジ１が記録再生装置内にさらに引き込まれた際には、図２０に示すように、下シェル３の開口部１５とディスクトレイ５の開口部３５とがディスクカートリッジ１の厚み方向において重ね合わされる（連通する）と共に、シャッタ部材６，６が開口部３５上から退避させられる。これにより、ディスクトレイ５によって閉塞されていた開口部１５の端部領域Ａ１，Ａ１と、シャッタ部材６によって閉塞されていた開口部１５の中央部領域Ａ２とが開口されてカートリッジ本体２内の光ディスク１０が露出して、カートリッジ本体２の外部からの光ディスク１０に対するディスクアクセスが許容される。この際に、このディスクカートリッジ１では、ディスクトレイ５およびシャッタ部材６，６による開口部１５の閉塞が解除された状態（開口部１５の全域が開口された状態）において、図２１に示すように、ディスクトレイ５における支持軸３３の頭部４２がシャッタ部材６における軸受孔５１の挿通用孔６１の口縁部（円形凹部６２の底部）に係合してディスクトレイ５からのシャッタ部材６の外れ（離脱）が規制された状態が維持される。この後、記録再生装置によってクランピングプレート１０ｂが磁気的に吸引されて中心孔１０ａの口縁部（中心部領域）がクランプされ、開口部１５を介してのレーザービームの照射（記録データの記録または再生）が実行される。
【００２８】
一方、記録データの記録再生を完了したディスクカートリッジ１を記録再生装置から取り出す際には、記録再生装置のシャッタ開閉手段によってディスクトレイ５が図１に示す矢印Ｂ２の向きで回動させられると共に、その回動に伴ってシャッタ部材６が回動させられて、図１７に示すように、ディスクトレイ５およびシャッタ部材６，６によって開口部１５の全域が閉塞される。これにより、カートリッジ本体２、ディスクトレイ５およびシャッタ部材６，６によってカートリッジ本体２内の光ディスク１０が保護される。この場合、このディスクカートリッジ１では、図２１に示す状態（開口部１５の全域が開口されている状態におけるディスクトレイ５およびシャッタ部材６の状態）から、図１８に示す状態（開口部１５の全域が閉塞された状態におけるディスクトレイ５およびシャッタ部材６の状態）までの間でディスクトレイ５に対してシャッタ部材６が回動させられる際に、支持軸３３の頭部４２が軸受孔５１の挿通用孔６１の口縁部（円形凹部６２の底部）に係合した状態が維持される。したがって、ディスクトレイ５に対するシャッタ部材６の回動時におけるディスクトレイ５からのシャッタ部材６の外れ（離脱）が規制された状態が維持される。
【００２９】
このように、このディスクカートリッジ１によれば、一方の幅Ｗ２が他方の幅Ｗ１よりも広い長板状の頭部４２を軸本体４１の先端部に形成した支持軸３３をディスクトレイ５に突設すると共に、頭部４２の挿通を可能としつつ、シャッタ部材６が開口部１５の中央部領域Ａ２を閉塞している状態と開口している状態との間でディスクトレイ５に対して回動させられているときにディスクトレイ５からのシャッタ部材６の外れ（離脱）を規制可能に長孔状の軸受孔５１（挿通用孔６１）をシャッタ部材６に形成したことにより、熱かしめ装置等を用いてディスクトレイ（インナーシェル）にシャッタ部材をかしめ処理して固定している従来のディスクカートリッジとは異なり、ディスクトレイ５の射出成形時に支持軸３３をディスクトレイ５の本体部分と一体的に成形することができる。したがって、ディスクトレイ５に対するシャッタ部材６の取り付け作業時にシャッタ部材６とディスクトレイ５とを溶着することがないため、シャッタ部材６の回動不良の発生を確実に回避することができる。また、射出成形時に支持軸３３を成形することで、頭部４２の大きさや厚みにばらつきを生じさせることなく支持軸３３を突設することができる。このため、頭部４２が小さ過ぎて軸受孔５１から抜け易くなる事態や、頭部４２が薄過ぎて破断し易くなる事態を確実に回避することができる。したがって、ディスクトレイ５からのシャッタ部材６の意図しない外れ（離脱）を確実に回避することができる。
【００３０】
この場合、頭部４２の挿通を可能とする挿通用孔６１を取り囲むようにして頭部４２の厚みＴよりも深い深さＤの円形凹部６２をシャッタ部材６に形成して軸受孔５１を構成したことにより、頭部４２をシャッタ部材６の表面から突出させることなくディスクトレイ５に対してシャッタ部材６を取り付けることができる。
【００３１】
なお、本発明は、上記した構成に限定されない。例えば、本発明におけるディスク状記録媒体としては、上記した書き換え型の光ディスク１０に限定されず、再生専用タイプの光ディスクや、追記型の光ディスクなどの各種の光ディスクが含まれるばかりでなく、光磁気ディスクや磁気ディスクも含まれる。また、上記したディスクカートリッジ１では、別個独立した下シェル本体１１ａ，１１ｂを有する下シェル３を備えてカートリッジ本体２が構成されているが、本発明はこれに限定されず、例えば、図２２に示すディスクカートリッジ１Ａのように、ディスクカートリッジ１における下シェル３に代えて、連結部１１ｃ，１１ｄによって下シェル本体１１ａ，１１ｂを一体的に連結した下シェル３Ａを採用してカートリッジ本体２Ａを構成することもできる。さらに、本発明におけるディスクアクセス用の開口部の開口形状は、上記の例のようにカートリッジ本体２の前後方向に長い長方形形状の開口形状に限定されるものではなく、カートリッジ本体の左右方向に長い長方形形状の開口形状や、方形形状のカートリッジ本体における対角線方向に長い長方形形状の開口形状であってもよい。この場合、本発明に係るディスクカートリッジとしては、２つの光学ヘッドを同時に用いた記録再生が可能なタイプに限定されず、図２３に示すディスクカートリッジ１Ｂのように、単一の光学ヘッドを用いた記録再生が可能な開口部１５ｂが形成された下シェル３Ｂを有するカートリッジ本体２Ｂを備えて構成されたタイプのものが含まれる。
【００３２】
また、上記したディスクカートリッジ１では、ディスクトレイ５に支持軸３３を突設すると共に、シャッタ部材６に軸受孔５１を形成してディスクトレイ５に対してシャッタ部材６を回動可能に取り付ける構成を採用しているが、本発明はこれに限定されず、シャッタ部材６に支持軸３３を突設すると共に、ディスクトレイ５に軸受孔５１を形成してディスクトレイ５に対してシャッタ部材６を回動可能に取り付ける構成を採用することもできる。さらに、上記したディスクカートリッジ１では、下シェル３に凸部１３を突設すると共にシャッタ部材６にスリット５２を形成してディスクトレイ５の回動に伴ってシャッタ部材６を回動させる構成を採用しているが、本発明はこれに限定されず、シャッタ部材６に回動用凸部（凸部１３）を突設すると共に下シェル３に回動用案内溝（スリット５２）を形成してディスクトレイ５の回動に伴ってシャッタ部材６を回動させる構成を採用することもできる。また、本発明における離脱規制用頭部の平面視形状、および軸受孔（挿通用孔）の開口形状は、ディスクカートリッジ１における頭部４２および挿通用孔６１の形状に限定されず、一方の幅に対して他方の幅が広い長板状（長孔状）である限り、これらの形状を適宜変更することができる。
【００３３】
さらに、上記のディスクカートリッジ１では、一対のシャッタ部材６，６とディスクトレイ５とによって開口部１５を閉塞する構成を採用しているが、本発明はこれに限定されず、図２３，２４に示すディスクカートリッジ１Ｂのように、単一のシャッタ部材６Ｂとディスクトレイ５Ｂとによって開口部１５ｂを開閉する構成を採用することもできる。この場合、上記したディスクカートリッジ１では、ディスクトレイ５に支持軸３３を突設すると共に、シャッタ部材６に軸受孔５１を形成してディスクトレイ５に対してシャッタ部材６を回動可能に取り付ける構成を採用しているが、ディスクカートリッジ１Ｂでは、図２５に示すように、下シェル３Ｂに支持軸３３を突設すると共に、図２６に示すように、シャッタ部材６Ｂに軸受孔５１を形成して下シェル３Ｂに対してシャッタ部材６を回動可能に取り付ける構成を採用している。この例では、支持軸３３および軸受孔５１が相俟って本発明における第２軸支機構を構成する。また、上記したディスクカートリッジ１では、下シェル３に凸部１３を突設すると共にシャッタ部材６にスリット５２を形成してディスクトレイ５の回動に伴ってシャッタ部材６を回動させる構成を採用しているが、このディスクカートリッジ１Ｂでは、図２７に示すように、ディスクトレイ５Ｂに凸部１３を突設すると共に、図２６に示すように、シャッタ部材６Ｂにスリット５２を形成してディスクトレイ５Ｂの回動に伴ってシャッタ部材６Ｂを回動させる構成を採用している。この場合、ディスクトレイ５Ｂには、下シェル３Ｂの開口部１５ｂ（本発明における第１開口部の他の一例）の幅とほぼ同じ幅の開口部３５ｂ（本発明における第２開口部の他の一例）が底板３１ａに形成されている。
【００３４】
このディスクカートリッジ１Ｂの組立てに際しては、図２８に示すように、まず、下シェル３Ｂにシャッタ部材６Ｂを取り付ける。この際に、シャッタ部材６Ｂの軸受孔５１に下シェル３Ｂの支持軸３３を挿通させた後に、矢印Ｅの向きで下シェル３Ｂに対してシャッタ部材６Ｂを回動させる。これにより、下シェル３Ｂに対するシャッタ部材６Ｂの取り付けが完了する。この場合、このディスクカートリッジ１Ｂでは、頭部４２が挿通用孔６１の口縁部（円形凹部６２の底部）に係合して下シェル３Ｂからのシャッタ部材６の外れ（離脱）が規制されるように構成されている。したがって、熱かしめ装置等によるかしめ処理を不要としつつ、下シェル３Ｂに対するシャッタ部材６Ｂの取り付けが可能となっている。この後、シャッタ部材６Ｂの取り付けが完了した下シェル３Ｂ上に光ディスク１０を載置したディスクトレイ５Ｂを配設した状態で下シェル３Ｂを上シェル４に固定する。これにより、ディスクカートリッジ１Ｂが完成する。
【００３５】
このディスクカートリッジ１Ｂでは、記録再生装置から取り外されている状態のときには、下シェル３Ｂの開口部１５ｂが、ディスクトレイ５Ｂとシャッタ部材６Ｂとによって閉塞されて、カートリッジ本体２Ｂ内の光ディスク１０に対するディスクアクセスが規制されている（本発明における規制状態）。具体的には、図２９に示すように、開口部１５ｂの一端側の端部領域Ａ１（光ディスク１０の外縁部側を露出させるための開口部位：本発明における一部）がディスクトレイ５Ｂの底板３１ａによって閉塞されると共に、開口部１５ｂにおける他端側の中央部領域Ａ２（光ディスク１０における中心孔１０ａの近傍を露出させるための開口部位：本発明における他の一部）がシャッタ部材６Ｂによって閉塞される。これにより、光ディスク１０に対するディスクアクセスが規制される。なお、同図および後に参照する図３０では、開口部１５ｂの閉塞状態（開口状態）についての理解を容易とするために、上シェル４等の図示を省略して下シェル３Ｂおよびシャッタ部材６Ｂのみを図示すると共に、ディスクトレイ５Ｂを一点鎖線で図示している。この場合、このディスクカートリッジ１Ｂでは、ディスクトレイ５Ｂおよびシャッタ部材６Ｂによって開口部１５ｂの全域が閉塞されている状態において、下シェル３Ｂにおける支持軸３３の頭部４２がシャッタ部材６Ｂにおける軸受孔５１の挿通用孔６１の口縁部（円形凹部６２の底部）に係合して下シェル３Ｂからのシャッタ部材６Ｂの外れ（離脱）が規制された状態が維持される。
【００３６】
一方、このディスクカートリッジ１Ｂを記録再生装置に装填した際には、記録再生装置のシャッタ開閉手段によってディスクトレイ５Ｂが回動させられるのに伴い、シャッタ部材６Ｂが下シェル３Ｂに対して回動させられる。これにより、開口部１５ｂが開口されてカートリッジ本体２Ｂ内の光ディスク１０に対するディスクアクセスが許容される（本発明における許容状態）。具体的には、まず、記録再生装置のシャッタ開閉手段がディスクトレイ５Ｂの噛合用歯部３４に噛合した状態でディスクカートリッジ１Ｂがさらに引き込まれることによってディスクトレイ５Ｂが図２９に示す矢印Ｆの向きでカートリッジ本体２Ｂに対して回動させられる。この際には、ディスクトレイ５Ｂの回動に伴い、ディスクトレイ５Ｂの凸部１３がシャッタ部材６Ｂのスリット５２内を相対的にスライドすることによって、シャッタ部材６Ｂが軸受孔５１（下シェル３Ｂの支持軸３３）を中心として下シェル３Ｂに対して矢印Ｇの向きに回動（スライド）させられる。
【００３７】
次いで、ディスクカートリッジ１Ｂが記録再生装置内にさらに引き込まれた際には、図３０に示すように、下シェル３Ｂの開口部１５ｂとディスクトレイ５Ｂの開口部３５ｂとがディスクカートリッジ１Ｂの厚み方向において重ね合わされる（連通する）と共に、シャッタ部材６Ｂが開口部１５ｂ上から退避させられる。これにより、ディスクトレイ５Ｂによって閉塞されていた開口部１５ｂの端部領域Ａ１と、シャッタ部材６Ｂによって閉塞されていた開口部１５ｂの中央部領域Ａ２とが開口されて、カートリッジ本体２Ｂの外部からの光ディスク１０に対するディスクアクセスが許容される。この際に、このディスクカートリッジ１Ｂでは、ディスクトレイ５Ｂおよびシャッタ部材６Ｂによる開口部１５ｂの閉塞が解除された状態（開口部１５ｂの全域が開口された状態）において、下シェル３Ｂにおける支持軸３３の頭部４２がシャッタ部材６Ｂにおける軸受孔５１の挿通用孔６１の口縁部（円形凹部６２の底部）に係合して下シェル３Ｂからのシャッタ部材６Ｂの外れ（離脱）が規制された状態が維持される。この後、記録再生装置によって光ディスク１０における中心孔１０ａの口縁部（中心部領域）がクランプされ、開口部１５ｂを介しての光ディスク１０に対するレーザービームの照射（記録データの記録または再生）が実行される。
【００３８】
このように、このディスクカートリッジ１Ｂによれば、一方の幅が他方の幅よりも広い長板状の頭部４２を先端部に形成した支持軸３３を下シェル３Ｂに突設すると共に、頭部４２の挿通を可能としつつ、シャッタ部材６Ｂが開口部１５ｂの中央部領域Ａ２を閉塞している状態と開口している状態との間で下シェル３Ｂに対して回動させられているときに下シェル３Ｂからのシャッタ部材６Ｂの外れ（離脱）を規制するように長孔状の軸受孔５１（挿通用孔６１）をシャッタ部材６Ｂに形成したことにより、熱かしめ装置等を用いてディスクトレイ（インナーシェル）にシャッタ部材をかしめ処理して固定している従来のディスクカートリッジとは異なり、下シェル３Ｂの射出成形時において支持軸３３を下シェル３Ｂの本体部分と一体的に成形することができる。したがって、下シェル３Ｂに対するシャッタ部材６Ｂの取り付け作業時にシャッタ部材６Ｂと下シェル３Ｂとが溶着されることがないため、シャッタ部材６Ｂの回動不良の発生を確実に回避することができる。また、射出成形時に支持軸３３を成形することで、頭部４２の大きさや厚みにばらつきを生じさせることなく支持軸３３を突設することができる。このため、頭部４２が小さ過ぎて軸受孔５１から抜け易くなる事態や、頭部４２が薄過ぎて破断し易くなる事態を確実に回避することができる。したがって、下シェル３Ｂからのシャッタ部材６Ｂの外れ（離脱）を確実に回避することができる。
【００３９】
この場合、上記したディスクカートリッジ１Ｂでは、下シェル３Ｂに支持軸３３を突設すると共に、シャッタ部材６Ｂに軸受孔５１を形成して下シェル３Ｂに対してシャッタ部材６Ｂを回動可能に取り付ける構成を採用しているが、本発明はこれに限定されず、シャッタ部材６Ｂに支持軸３３を突設すると共に、下シェル３Ｂに軸受孔５１を形成して下シェル３Ｂに対してシャッタ部材６Ｂを回動可能に取り付ける構成を採用することもできる。さらに、上記したディスクカートリッジ１Ｂでは、ディスクトレイ５Ｂに凸部１３を突設すると共にシャッタ部材６Ｂにスリット５２を形成してディスクトレイ５Ｂの回動に伴ってシャッタ部材６Ｂを回動させる構成を採用しているが、本発明はこれに限定されず、シャッタ部材６Ｂに回動用凸部（凸部１３）を突設すると共にディスクトレイ５Ｂに回動用案内溝（スリット５２）を形成してディスクトレイ５Ｂの回動に伴ってシャッタ部材６Ｂを回動させる構成を採用することもできる。
【図面の簡単な説明】
【００４０】
【図１】ディスクカートリッジ１の外観斜視図である。
【図２】開口部１５を開口した状態のディスクカートリッジ１の図１におけるＸ−Ｘ線断面図である。
【図３】下シェル３を内面側から見た平面図である。
【図４】上シェル４を内面側から見た平面図である。
【図５】ディスクトレイ５を下シェル３側から見た平面図である。
【図６】ディスクトレイ５に突設された支持軸３３およびその近傍の外観斜視図である。
【図７】ディスクトレイ５における支持軸３３およびその近傍の平面図である。
【図８】図７におけるＸ１−Ｘ１線断面図である。
【図９】図７におけるＹ１−Ｙ１線断面図である。
【図１０】シャッタ部材６を下シェル３側から見た平面図である。
【図１１】シャッタ部材６に形成された軸受孔５１の近傍の外観斜視図である。
【図１２】シャッタ部材６における軸受孔５１近傍の平面図である。
【図１３】図１２におけるＸ２−Ｘ２線断面図である。
【図１４】図１２におけるＹ２−Ｙ２線断面図である。
【図１５】ディスクトレイ５にシャッタ部材６，６を取り付けている状態の平面図である。
【図１６】図１５の状態におけるディスクトレイ５の支持軸３３とシャッタ部材６の軸受孔５１との位置関係を示す平面図である。
【図１７】ディスクトレイ５およびシャッタ部材６，６によって開口部１５の全域を閉塞している状態の平面図である。
【図１８】図１７の状態におけるディスクトレイ５の支持軸３３とシャッタ部材６の軸受孔５１との位置関係を示す平面図である。
【図１９】図１７の状態におけるディスクトレイ５の支持軸３３とシャッタ部材６の軸受孔５１との位置関係を示す外観斜視図である。
【図２０】ディスクトレイ５およびシャッタ部材６，６による閉塞を解除して開口部１５の全域を開口している状態の平面図である。
【図２１】図２０の状態におけるディスクトレイ５の支持軸３３とシャッタ部材６の軸受孔５１との位置関係を示す平面図である。
【図２２】ディスクカートリッジ１Ａの外観斜視図である。
【図２３】ディスクカートリッジ１Ｂの外観斜視図である。
【図２４】開口部１５ｂを開口した状態のディスクカートリッジ１Ｂの図２３におけるＸ３−Ｘ３線断面図である。
【図２５】下シェル３Ｂを内面側から見た平面図である。
【図２６】シャッタ部材６Ｂを上シェル４側から見た平面図である。
【図２７】ディスクトレイ５Ｂを上シェル４側から見た平面図である。
【図２８】下シェル３Ｂにシャッタ部材６Ｂを取り付けている状態の平面図である。
【図２９】ディスクトレイ５Ｂおよびシャッタ部材６Ｂによって開口部１５ｂの全域を閉塞している状態の平面図である。
【図３０】ディスクトレイ５Ｂおよびシャッタ部材６Ｂによる閉塞を解除して開口部１５ｂの全域を開口している状態の平面図である。
【符号の説明】
【００４１】
１，１Ａ，１Ｂ  ディスクカートリッジ
２，２Ａ，２Ｂ  カートリッジ本体
３，３Ａ，３Ｂ  下シェル
４  上シェル
５，５Ｂ  ディスクトレイ
６，６Ｂ  シャッタ部材
１０  光ディスク
１３  凸部
１５，１５ｂ  開口部
３３  支持軸
３５，３５ｂ  開口部
４１  軸本体
４２  離脱規制用頭部
５１  軸受孔
５２  スリット
６１  挿通用孔
６２  円形凹部
Ｄ  深さ
Ｌ１，Ｌ２  直径
Ｔ  厚み
Ａ１  端部領域
Ａ２  中央部領域
Ｗ１，Ｗ２，Ｗ３，Ｗ４  幅
【図１】
2005322292.tif 000003
【図２】
2005322292.tif 000004
【図３】
2005322292.tif 000005
【図４】
2005322292.tif 000006
【図５】
2005322292.tif 000007
【図６】
2005322292.tif 000008
【図７】
2005322292.tif 000009
【図８】
2005322292.tif 000010
【図９】
2005322292.tif 000011
【図１０】
2005322292.tif 000012
【図１１】
2005322292.tif 000013
【図１２】
2005322292.tif 000014
【図１３】
2005322292.tif 000015
【図１４】
2005322292.tif 000016
【図１５】
2005322292.tif 000017
【図１６】
2005322292.tif 000018
【図１７】
2005322292.tif 000019
【図１８】
2005322292.tif 000020
【図１９】
2005322292.tif 000021
【図２０】
2005322292.tif 000022
【図２１】
2005322292.tif 000023
【図２２】
2005322292.tif 000024
【図２３】
2005322292.tif 000025
【図２４】
2005322292.tif 000026
【図２５】
2005322292.tif 000027
【図２６】
2005322292.tif 000028
【図２７】
2005322292.tif 000029
【図２８】
2005322292.tif 000030
【図２９】
2005322292.tif 000031
【図３０】
2005322292.tif 000032